(57)【要約】【課題】縦方向長さ約９．０ｃｍ、横方向長さ約５．５ｃｍ程度の通常の大きさの名刺を用い、これを受け取った側に強烈な印象を与え、広告宣伝媒体としての高い機能を実現する。【解決手段】本発明に係る名刺は、縦方向長さ約９．０ｃｍ、横方向長さ約５．５ｃｍ程度の長方形のカードの少なくとも片面に、ペーパークラフト用の線図の印刷された造形印刷部と、各種情報の印刷された情報印刷部とを有する。通常の大きさの名刺に造形印刷部と情報印刷部の両方を設けることによって、造形印刷部を使用してペーパークラフトを造形しない場合には、そのまま通常の名刺として使用することができ、造形印刷部を使用してペーパークラフトを造形した場合には、残りの情報印刷部が名刺としての役割を果たし、造形物によってそれを受け取った側に強烈な印象を与え、広告宣伝媒体としての高い機能を実現することができる。【選択図】図１
2008221692.tif 000002
【特許請求の範囲】
【請求項１】
縦方向長さ約９．０ｃｍ、横方向長さ約５．５ｃｍ程度の長方形のカードの少なくとも片面に、ペーパークラフト用の線図の印刷された造形印刷部と、各種情報の印刷された情報印刷部とを有することを特徴とする名刺。
【請求項２】
請求項１に記載の名刺において、前記情報印刷部に印刷された各種情報の一部又は全部を前記造形印刷部の線図の中に併せて印刷したことを特徴とする名刺。
【請求項３】
請求項２に記載の名刺において、前記造形印刷部の線図中に併せて印刷された前記情報印刷部の情報の一部又は全部が、前記造形印刷部に印刷された図形に応じて造形された後の造形物と一体的となるように印刷したことを特徴とする名刺。
【請求項４】
請求項１に記載の名刺において、前記情報印刷部の大きさを前記カード全体の約４分の１程度としたことを特徴とする名刺。
【請求項５】
請求項１から４までのいずれか１に記載の名刺を収納する本体収納部と、前記名刺の造形印刷部に印刷された図形に応じて造形された後の造形物を収納するサンプル収納部とを備えたことを特徴とする名刺ホルダ。
【請求項６】
請求項５に記載の名刺ホルダにおいて、さらにビー玉やパチンコ玉などの球体手段を収納する補助収納部を備えたことを特徴とする名刺ホルダ。
【発明の詳細な説明】
【技術分野】
【０００１】
この発明は、会社名、役職、氏名、住所、電話番号等の情報の印刷された名刺及び名刺ホルダに係り、特に通常規格の大きさの名刺にこれらの情報と共にペーパークラフト用のデザインの施された名刺に関する。
【背景技術】
【０００２】
一般的な名刺は、９．０ｃｍ×５．５ｃｍ程度の大きさの長方形（矩形）のカードの表面（及び裏面の両面を使用する場合もある）に会社名、役職、氏名、住所、電話番号等の情報を印刷したものである。最近では、これらの情報に加えて会社のロゴ、シンボルマーク、キャッチフレーズ、取り扱い商品、本人の似顔絵や写真などのあらゆる情報をカードの表面（裏面）に印刷したものがあり、相手に手渡したときの自己の印象を強烈にアピールしようとする試みが行われている。その一例として、特許文献１に記載のようなものが知られている。
【特許文献１】実用新案登録第３１１８９３９号公報
【発明の開示】
【発明が解決しようとする課題】
【０００３】
特許文献１に記載されたものは、矩形シートの一部を切断除去することによって矩形シートを所望の形状に加工し、この所望の形状に対応して模様及び色彩並びに使用者を特定するための情報などを印刷してなる造形名刺に関するものである。この造形名刺は、自由な造形、デザイン、印刷等の複合した構造により受け取る側に強烈な印象を与えることができ、広告媒体としての高い機能を有し、目にも楽しく話題性に富んだ新機軸の名刺を提供しようとするものである。すなわち、特許文献１に記載された造形名刺は、９．０ｃｍ×５．５ｃｍの一般的な名刺の大きさとは全く異なり、名刺自体の形状・寸法・模様・色彩等を自由とした新しい名刺を提案したものであり、このような造形名刺を受け取った側に強烈な印象を与えることによって、広告宣伝媒体としての高い機能を実現しようとしている。
【０００４】
特許文献１に記載された造形名刺は、通常の名刺より大きかったり、通常の名刺の２〜５枚分組み合わせて、これに切断除去や折り重ねなどの加工を施すことによって形状・寸法・模様・色彩等を自由とした新しい造形名刺を提供することができる。ところが、一般的な名刺ホルダや名刺入れなどは、９．０ｃｍ×５．５ｃｍ程度の通常の大きさに対応しているため、このような造形名刺は持ち運びや保存が面倒である。一方、このような造形名刺を一般的な名刺ホルダや名刺入れなどに収納可能とするために、造形名刺の一部を切断除去して、９．０ｃｍ×５．５ｃｍ程度の通常の大きさに加工することは可能であるが、通常の大きさに加工することによって、造形名刺として有する広告媒体としての高い機能や目にも楽しく話題性に富んだ新機軸の名刺としての機能が著しく損なわれ、造形名刺としての機能を果たさなくなる。
この発明は、上述の課題に鑑みなされたものであり、縦方向長さ約９．０ｃｍ、横方向長さ約５．５ｃｍ程度の通常の大きさの名刺を用い、これを受け取った側に強烈な印象を与え、広告宣伝媒体としての高い機能を実現することのできる名刺を提供することを目的とする。
【課題を解決するための手段】
【０００５】
本発明に係る名刺の第１の特徴は、縦方向長さ約９．０ｃｍ、横方向長さ約５．５ｃｍ程度の長方形のカードの少なくとも片面に、ペーパークラフト用の線図の印刷された造形印刷部と、各種情報の印刷された情報印刷部とを有することにある。これは、通常の大きさの名刺に造形印刷部と情報印刷部の両方を設けることによって、造形印刷部を使用してペーパークラフトを造形しない場合には、そのまま通常の名刺として使用することができ、造形印刷部を使用してペーパークラフトを造形した場合には、残りの情報印刷部が名刺としての役割を果たし、造形物によってそれを受け取った側に強烈な印象を与え、広告宣伝媒体としての高い機能を実現することができるという効果がある。
【０００６】
本発明に係る名刺の第２の特徴は、前記第１の特徴に記載の名刺において、前記情報印刷部に印刷された各種情報の一部又は全部を前記造形印刷部の線図の中に併せて印刷したことにある。これは、情報印刷部に印刷される各種情報の一部又は全部を造形印刷部の線図中に併せて印刷することによって、造形物にも情報印刷部に各種情報が表示されるようになるので、造形物にも名刺としての機能を発揮させることができるという効果がある。
【０００７】
本発明に係る名刺の第３の特徴は、前記第２の特徴に記載の名刺において、前記造形印刷部の線図中に併せて印刷された前記情報印刷部の情報の一部又は全部が、前記造形印刷部に印刷された図形に応じて造形された後の造形物と一体的となるように印刷したことにある。これは、各種情報が造形物に違和感なく印刷されていることによって、造形物自体が造形物としての機能も備え、また名刺としての機能も備えることができ、それを受け取った側に強烈な印象を与え、広告宣伝媒体としての高い機能を実現することができるという効果がある。
【０００８】
本発明に係る名刺の第４の特徴は、前記第１の特徴に記載の名刺において、前記情報印刷部の大きさを前記カード全体の約４分の１程度としたことにある。名刺の大きさの約４分の１程度とすることによって、情報印刷部に各種情報を視認可能に印刷することが可能となり、通常の名刺のように既存の名刺ホルダー等に容易に保管することも可能となる。
【０００９】
本発明に係る名刺ホルダの第１の特徴は、前記第１の特徴から第４の特徴までのいずれか１に記載の名刺そのものを収納する本体収納部と、前記名刺の造形印刷部に印刷された図形に応じて造形された後の造形物を収納するサンプル収納部と、ビー玉やパチンコ玉などの球体手段を収納する補助収納部とを備えたことにある。この名刺ホルダによれば、造形印刷部をサンプル品として組み立てた造形物を持ち運び、それを名刺交換時に相手に見せることによって、名刺の印刷されたクラフトペーパの楽しみ、興味を惹起することが可能となる。
【００１０】
本発明に係る名刺ホルダの第２の特徴は、前記第１の特徴に記載の名刺ホルダにおいて、さらにビー玉やパチンコ玉などの球体手段を収納する補助収納部を備えたことにある。クラフトペーパの組み立てサンプル品である造形物の下面側に空洞部で存在するので、この空洞部を利用し、この空同部でビー玉やパチンコ玉などの球体手段を覆うようにして、サンプル品を机などの上に配置することによって、サンプル品が空同部の球体手段の動きに連動して予想外の面白い動きをすることを利用して、名刺交換時の相手に自己の印象を深くすることができる。
【発明の効果】
【００１１】
この発明によれば、縦方向長さ約９．０ｃｍ、横方向長さ約５．５ｃｍ程度の通常の大きさの名刺を用い、これを受け取った側に強烈な印象を与え、広告宣伝媒体としての高い機能を実現することができるという効果がある。
【発明を実施するための最良の形態】
【００１２】
以下添付図面に従って本発明に係る名刺の好ましい実施の形態について説明する。図１は、本発明の第１の実施の形態に係る名刺の全体構成を示す図である。この実施の形態では、９．０ｃｍ×５．５ｃｍ程度の通常の大きさの名刺１に、クラフトペーパとなる線図を印刷した造形印刷部１１と、会社名、役職、氏名、住所、電話番号等の名刺情報を印刷した情報印刷部１２とを設けたものである。さらに、造形印刷部１１には、情報印刷部１２と同じ会社名、役職、氏名、住所、電話番号等の情報がその造形印刷部１１に印刷された図形に応じて造形された後の物体（造形物）と一体的となるように併せて印刷してある。
【００１３】
図１の造形印刷部１１には、ワンボックスカーのクラフトペーパが印刷されている。造形印刷部１１には、カッターなどの切断手段で加工しやすいように方眼模様が印刷されている。この方眼模様の上にワンボックスカーの展開図がクラフトペーパとして印刷されている。図１の情報印刷部１２には、郵便番号、住所、電話番号、ファックス番号、電子メールアドレス、名前、名前の英字表記が印刷されており、これらの情報の左側には会社のロゴマーク、このロゴマークの下側に会社のホームページアドレスが、さらに、右下側には会社名が印刷されている。情報印刷部２２に表示されている情報は一例であり、これ以外に、シンボルマーク、キャッチフレーズ、取り扱い商品、本人の似顔絵や写真などのあらゆる情報を印刷しても良い。この実施の形態では、ワンボックスカーの天井部に、情報印刷部１２に印刷されている情報と同じ郵便番号、住所、電話番号、ファックス番号、電子メールアドレス、名前、名前の英字表記が印刷されている。また、ワンボックスカーの両サイドのドア部には、情報印刷部１２に印刷されている情報と同じ会社のロゴマーク、ホームページアドレスが印刷されている。さらに、ワンボックスカーの後ろ側の窓には情報印刷部１２に印刷されていいない情報として「プリント工房」と「Ｐｒｉｎｔ  Ｓｔｕｄｉｏ」なる文字情報が印刷されている。情報印刷部２２の大きさは、名刺１の全体の大きさの約４分の１程度とする。すなわち、名刺１の長軸方向で約４分の１程度の長さとなっている。このように情報印刷部２２の大きさを名刺１の約４分の１程度の大きさとすることによって、各種情報を視認可能に印刷することも可能であり、通常の名刺のように既存の名刺ホルダー等に容易に保管することも可能となる。
【００１４】
図２は、本発明の第２の実施の形態に係る名刺の全体構成を示す図である。この実施の形態では、通常の大きさの名刺２に、トラックのクラフトペーパとなる線図を印刷した造形印刷部２１と、会社名、役職、氏名、住所、電話番号等の名刺情報を印刷した情報印刷部２２とを設けたものである。さらに、造形印刷部２１には、情報印刷部２２と同じ会社名、役職、氏名、住所、電話番号等の情報がその造形印刷部１１に印刷された図形に応じて造形された後の物体（造形物）と一体的となるように併せて印刷してある。
【００１５】
図２の造形印刷部２１には、トラックのクラフトペーパが印刷されている。造形印刷部２１には、図１の名刺１と同様にカッターなどの切断手段で加工しやすいように方眼模様が印刷されている。この方眼模様の上にトラックの展開図がクラフトペーパとして印刷されている。図２の情報印刷部２２には、図１の情報印刷部１２と同じ情報が印刷されている。この実施の形態では、トラックの荷台床部分に、情報印刷部２２に印刷されている情報と同じ情報が印刷されている。また、トラックの荷台の両サイドには、情報印刷部２２に印刷されている情報と同じ会社のホームページアドレスが印刷されている。なお、この実施の形態では、情報印刷部２２を半円形状に変形させて、トラックの荷台部に幌として設置することができるように構成されている。
【００１６】
図３は、本発明の第３の実施の形態に係る名刺の全体構成を示す図である。この実施の形態では、通常の大きさの名刺３に、サイコロのクラフトペーパとなる線図を印刷した造形印刷部３１と、会社名、役職、氏名、住所、電話番号等の名刺情報を印刷した情報印刷部３２とを設けたものである。さらに、造形印刷部３１には、情報印刷部３２と同じ会社名、役職、氏名、住所、電話番号等の情報がその造形印刷部１１に印刷された図形、すなわちサイコロの各面に併せて印刷してある。
【００１７】
図３の造形印刷部３１には、サイコロのクラフトペーパが印刷されている。造形印刷部３１には、図１及び図２の名刺１，２と同様にカッターなどの切断手段で加工しやすいように方眼模様が印刷されている。この方眼模様の上にサイコロの展開図がクラフトペーパとして印刷されている。図３の情報印刷部３２には、図１及び図２の情報印刷部１２，２２と同じ情報が印刷されている。この実施の形態では、サイコロの各面にそれぞれ情報印刷部３２に印刷されている情報が別々に印刷されている。また、サイコロには、それぞれ隅にサイコロの目「１」〜「６」に対応した模様が印刷されている。なお、これは模様ではなく数字でもよい。サイコロの「１」の目の面には、情報印刷部３２に印刷されている情報と同じ会社のロゴマークが印刷されている。サイコロの「２」の目の面には、情報印刷部３２に印刷されている情報と同じ電子メールアドレスが、サイコロの「３」の目の面には、電話番号及びファックス番号が、サイコロの「４」の目の面には、名前及び名前の英字表記が、サイコロの「５」の目の面には、郵便番号及び住所が、サイコロの「６」の目の面には、ホームページアドレスが、それぞれ印刷されている。
【００１８】
図４は、本発明の第４の実施の形態に係る名刺の全体構成を示す図である。上述の第１〜第３の実施の形態では、通常の大きさの名刺１〜３の長軸方向を造形印刷部１１〜３１と情報印刷部２１〜３２とに２分割した場合を説明したが、この実施の形態では、通常の大きさの名刺４の短軸方向を造形印刷部４１と情報印刷部４２とに２分割している。そして、横長の造形印刷部４１には、家屋（ログハウス）のクラフトペーパとなる線図を印刷し、同じく横長の情報印刷部４２には、会社名、役職、氏名、住所、電話番号等の名刺情報を印刷している。この実施の形態では、造形印刷部４１に家屋（ログハウス）の模様等を鮮明に印刷したために、情報印刷部４２の会社名、役職、氏名、住所、電話番号等の情報を造形印刷部４１に印刷していないが、可能な限り、これらの情報を印刷してもよいことは言うまでもない。
【００１９】
図４の造形印刷部４１には、家屋としてログハウスのクラフトペーパが印刷されている。造形印刷部４１には、図１〜図３の名刺１〜３と同様にカッターなどの切断手段で加工しやすいように方眼模様が印刷されている。この方眼模様の上にログハウスの展開図がクラフトペーパとして印刷されている。図４の情報印刷部４２には、図１〜図３の情報印刷部１２〜３２とほぼ同じ情報が印刷されている。なお、この実施の形態では、短軸方向を２分割しているが、上述の第１〜第３の実施の形態と同様に長軸方向を２分割して家屋等のペーパークラフトを印刷するようにしてもよい。また、情報印刷部４２の大きさは、名刺全体の大きさの約４分の１程度である。すなわち、名刺４の短軸方向で約４分の１程度の長さとなっている。このように情報印刷部４２を名刺４の約４分の１程度の大きさとすることによって各種情報を視認可能に印刷することも可能であり、通常の名刺のように既存の名刺ホルダー等に容易に保管することも可能となる。
【００２０】
図５は、本発明の実施の形態に係る名刺を収納する収納具すなわち名刺ホルダの一例を示す図である。上述の第１〜第４の実施の形態に係る名刺を通常の名刺入れに入れて持ち運びしてもよいが、本発明に係る名刺の場合、造形印刷部１２〜４２のクラフトペーパをサンプル品として組み立てた物を持ち運び、それを名刺交換時に相手に見せることによって、名刺の印刷されたクラフトペーパの楽しみ、興味を惹起することが可能となる。図５の名刺入れは、この名刺本体１〜４を収納する本体収納部５１と、サンプル品を収納するサンプル収納５２と、ビー玉やパチンコ玉などの球体手段５３，５４を収納する補助収納部５５，５６とを備えた収納部本体５７と、この収納部本体５７を点線矢印５９の方向からその側面部を覆うように挿入収納可能なケース部５８とから構成されている。図５の名刺入れに球体手段５３，５４を設けたのは、上述の第１、第２及び第４の実施の形態に係るクラフトペーパの組み立てサンプル品の下面側に空洞部で存在するので、この空洞部を利用し、この空同部でビー玉やパチンコ玉などの球体手段５３，５４を覆うようにして、サンプル品を机などの上に配置することによって、サンプル品が空同部の球体手段５３，５４の動きに連動して予想外の面白い動きをすることを利用して、名刺交換時の相手に自己の印象を深くすることができるという効果をねらったものである。
【図面の簡単な説明】
【００２１】
【図１】本発明の第１の実施の形態に係る名刺の全体構成を示す図である。
【図２】本発明の第２の実施の形態に係る名刺の全体構成を示す図である。
【図３】本発明の第３の実施の形態に係る名刺の全体構成を示す図である。
【図４】本発明の第４の実施の形態に係る名刺の全体構成を示す図である。
【図５】本発明の実施の形態に係る名刺を収納する収納具すなわち名刺ホルダの一例を示す図である。
【符号の説明】
【００２２】
１，２，３，４  名刺
１１，２１，３１，４１  造形印刷部
１２，２２，３２，４２  情報印刷部
５１  本体収納部
５２  サンプル収納
５３，５４  球体手段
５５，５６  補助収納部
５７  収納部本体
５８  ケース部
【図１】
2008221692.tif 000003
【図２】
2008221692.tif 000004
【図３】
2008221692.tif 000005
【図４】
2008221692.tif 000006
【図５】
2008221692.tif 000007